(57)【特許請求の範囲】
【請求項１】
画像付き文書ファイルから検索インデックスを作成するシステムであって、
前記画像付き文書ファイルに含まれる１つ又は複数の地図画像又は写真画像の付属データから画像範囲を示す経度緯度情報を抽出する手段と、
前記経度緯度情報と、当該経度緯度情報に対応する地図画像又は写真画像を特定する識別情報と、前記画像付き文書ファイルの本文内のキーワードとを含む検索インデックスを作成する手段と
を有する検索インデックス作成システム。
【請求項２】
請求項１に記載の検索インデックス作成システムは、
前記地図画像又は前記写真画像に貼り付けられたアノテーションの付属データから、当該アノテーションの前記地図画像又は前記写真画像上における貼り付け位置を特定する経度緯度情報を抽出する手段を更に有し、
前記検索インデックスを作成する手段は、前記検索インデックスとして、前記アノテーションの経度緯度情報を含める
ことを特徴とする検索インデックス作成システム。
【請求項３】
画像付き文書検索システムにおいて、
画像付き文書ファイルを格納するファイルサーバと、
前記画像付き文書ファイルに含まれる１つ又は複数の地図画像又は写真画像の付属データから画像範囲を示す経度緯度情報を抽出する手段と、
前記経度緯度情報と、当該経度緯度情報に対応する地図画像又は写真画像を特定する識別情報と、前記画像付き文書ファイルの本文内のキーワードとを含む検索インデックスを作成する手段と、
作成された検索インデックスを格納する検索インデックス格納部と、
検索条件として、検索語と経度緯度の範囲の設定を、操作画面を通じて受付ける手段と、
検索条件として受付けた前記検索語と前記経度緯度の範囲に経度緯度情報を含む前記検索インデックスを検索する手段と、
検索結果として画像付き文書ファイルを出力する手段と
を有する画像付き文書検索システム。
【請求項４】
請求項３に記載の画像付き文書検索システムにおいて、
検索条件としての経度緯度の範囲は、画面上に表示された前記地図画像又は写真画像に対する範囲指定を通じて特定される
ことを特徴とする画像付き文書検索システム。
【請求項５】
請求項３に記載の画像付き文書検索システムは、
前記地図画像又は前記写真画像に貼り付けられたアノテーションの付属データから、当該アノテーションの前記地図画像又は前記写真画像上における貼り付け位置を特定する経度緯度情報を抽出する手段を更に有し、
前記検索インデックスを作成する手段は、前記検索インデックスとして、前記アノテーションの経度緯度情報を含める
ことを特徴とする画像付き文書検索システム。
【請求項６】
請求項５に記載の画像付き文書検索システムにおいて、
前記検索インデックスを用いた検索に際し、前記アノテーションの経度緯度情報を検索対象に含めるか否かを選択する画面を操作画面に表示させる手段を更に有する
ことを特徴とする画像付き文書検索システム。
【請求項７】
請求項５に記載の画像付き文書検索システムにおいて、
検索結果を出力する手段は、検索条件を満たすアノテーションを、検索条件としての経度緯度の範囲を含む地図画像又は写真画像上の各対応位置に重ねて表示する検索結果画面を出力する
ことを特徴とする画像付き文書検索システム。
【請求項８】
画像付き文書ファイルに含まれる１つ又は複数の地図画像又は写真画像の付属データから画像範囲を示す経度緯度情報を抽出する機能と、
前記経度緯度情報と、当該経度緯度情報に対応する地図画像又は写真画像を特定する識別情報と、前記画像付き文書ファイルの本文内のキーワードとを含む検索インデックスを作成する機能と
をコンピュータに実行させるプログラム。
【請求項９】
請求項８に記載のプログラムは、
前記地図画像又は前記写真画像に貼り付けられたアノテーションの付属データから、当該アノテーションの前記地図画像又は前記写真画像上における貼り付け位置を特定する経度緯度情報を抽出する機能を更に有し、
前記検索インデックスを作成する機能は、前記検索インデックスとして、前記アノテーションの経度緯度情報を含める
ことを特徴とするプログラム。
【請求項１０】
画像付き文書ファイルに含まれる１つ又は複数の地図画像又は写真画像の付属データから画像範囲を示す経度緯度情報を抽出する機能と、
前記経度緯度情報と、当該経度緯度情報に対応する地図画像又は写真画像を特定する識別情報と、前記画像付き文書ファイルの本文内のキーワードとを含む検索インデックスを作成する機能と、
検索条件として、検索語と経度緯度の範囲の設定を、操作画面を通じて受付ける機能と、
検索条件として受付けた前記検索語と前記経度緯度の範囲に経度緯度情報を含む前記検索インデックスを検索する機能と、
検索結果として画像付き文書ファイルを出力する機能と
をコンピュータに実行させるプログラム。
【請求項１１】
請求項１０に記載のプログラムにおいて、
検索条件としての経度緯度の範囲の設定を、画面上に表示された前記地図画像又は写真画像に対する範囲指定を通じて特定する
ことを特徴とするプログラム。
【請求項１２】
請求項１０に記載のプログラムにおいて、
前記地図画像又は前記写真画像に貼り付けられたアノテーションの付属データから、当該アノテーションの前記地図画像又は前記写真画像上における貼り付け位置を特定する経度緯度情報を抽出する機能を更に有し、
前記検索インデックスを作成する機能が、前記検索インデックスとして、前記アノテーションの経度緯度情報を含める
ことを特徴とするプログラム。
【請求項１３】
請求項１２に記載のプログラムにおいて、
前記検索インデックスを用いた検索に際し、前記アノテーションの経度緯度情報を検索対象に含めるか否かを選択する画面を操作画面に表示させる機能を更に有する
ことを特徴とするプログラム。
【請求項１４】
請求項１２に記載のプログラムにおいて、
検索結果を出力する機能は、検索条件を満たすアノテーションを、検索条件としての経度緯度の範囲を含む地図画像又は写真画像上の各対応位置に重ねて表示する検索結果画面を出力する
ことを特徴とするプログラム。
【発明の詳細な説明】
【技術分野】
【０００１】
本発明は、文書ファイルに貼り付けられた又は埋め込まれた地図又は写真（例えば衛星写真）を検索する技術に関するものである。
【背景技術】
【０００２】
近年、「ロケーションインテリジェンス」と呼ばれる技術が出現し、当該分野の拡大が見込まれている。ここで、「ロケーションインテリジェンス」とは、地理情報システム（GIS：Geographic Information System）を専門知識無しにビジネスに活用可能とする技術をいう。
【０００３】
この種の分野では、システムの使い易さが非常に重視される。そこで、昨今、ＰＤＦ（Portable Document Format）ファイル上で地理空間情報を取り扱い可能にした製品が提案されている。例えばAdobe社からはGeospatial PDFが、TerraGo社からはGeoPDF（登録商標）が提案されている。しかし、ＰＤＦファイルのように汎用的な文書ファイルに埋め込まれた地図そのものを、位置情報を検索キーに用いて検索できる製品は今のところ知られていない。
【０００４】
なお、文書の本文情報と地理空間情報を組み合わせた検索技術は、既に提案されている。例えば特許文献１には、データベースを利用して文書情報と地図情報をリンクさせるものが提案されている。また、特許文献２には、文書の本文中に現われる位置に関する記述を位置情報に変換し、当該変換後の位置情報を検索対象とするやり方が提案されている。
【先行技術文献】
【特許文献】
【０００５】
【特許文献１】特開２００１−１６７１１２号公報
【特許文献２】特開２０１０−１２８８０６号公報
【発明の概要】
【発明が解決しようとする課題】
【０００６】
ところが、特許文献１のように、データベースを利用して文書情報と地図情報をリンクさせる場合、検索システムは非常に複雑になってしまう。また、特許文献２のように、文書中の位置に関する記述を位置情報に変換する手法では、文書の曖昧性から間違った場所を特定してしまう可能性がある。例えば「東京都北部」のように言葉の示す範囲が曖昧である場合、位置情報の範囲の特定自体が困難である。このため、検索結果がユーザの意図せぬものになる可能性がある。
【０００７】
本発明は、かかる課題を考慮してなされたものであり、従来システムに比してシステム構成が簡便で済み、かつ、検索精度良く特定の位置情報を有する地図及び又は写真を検索可能とするシステムの提供を目的とする。
【課題を解決するための手段】
【０００８】
そこで、本発明者は、以下に示すシステムを提案する。
【０００９】
まず、文書ファイルから検索インデックスを作成するシステム（検索インデックス作成システム）として、(1) 文書ファイルに含まれる１つ又は複数の地図画像又は写真画像の付属データから画像範囲を示す経度緯度情報を抽出する手段と、(2) 経度緯度情報と、当該経度緯度情報に対応する地図画像又は写真画像を特定する識別情報とを含む検索インデックスを作成する手段とを有するものを提案する。
【００１０】
また、文書検索システムとして、(1) 文書ファイルを格納するファイルサーバと、(2) 文書ファイルに含まれる１つ又は複数の地図画像又は写真画像の付属データから画像範囲を示す経度緯度情報を抽出する手段と、(3) 経度緯度情報と、当該経度緯度情報に対応する地図画像又は写真画像を特定する識別情報とを含む検索インデックスを作成する手段と、(4) 作成された検索インデックスを格納する検索インデックス格納部と、(5) 検索条件として、経度緯度の範囲の設定を、操作画面を通じて受付ける手段と、（6） 検索条件として受付けた経度緯度の範囲に経度緯度情報を含む前記検索インデックスを検索する手段と、（7） 検索結果を出力する手段とを有するものを提案する。
【発明の効果】
【００１１】
本発明によれば、文書に含まれる地図画像又は写真画像そのものの経度緯度情報を検索インデックスに含めることができる。このため、従来システムに比して簡易かつ正確に、検索条件に合致する地図画像及び又は写真画像を含む文書を検索することができる。
【図面の簡単な説明】
【００１２】
【図１】形態例に係る文書検索システムの構成例を説明する図。
【図２】地図情報入り文書の例を説明する図。
【図３】検索インデックスの構成例を示す図。
【図４】検索条件の入力に使用する操作画面例を示す図。
【図５】検索結果の表示に使用する操作画面例を示す図。
【図６】検索結果の表示に使用する他の操作画面例を示す図。
【図７】検索インデックスの作成手順例を示すフローチャート。
【図８】文書の検索手順例を示すフローチャート。
【発明を実施するための形態】
【００１３】
以下、図面に基づいて、本発明に係る文書検索システム及び検索インデックス作成システムの形態例を説明する。なお、後述する形態例はいずれも一例であり、本発明には、本明細書に記載する任意の機能を組み合わせることで実現されるシステム、本明細書に記載する一部の構成や機能だけで実現されるシステムの他、一部の構成や機能だけを周知の技術で置換したシステムも含まれる。また、後述する形態例で実行される機能は、計算機（コンピュータ）上で実行されるプログラムとして実現されるものとして説明する。もっとも、プログラムの一部又は全部は、ハードウェアを通じて実現されても良い。
【００１４】
（全体システム）
図１に、文書検索システムの構成例を示す。なお、検索インデックスシステムは、文書検索システムの一部として実現される。
【００１５】
図１に示す文書検索システムは、検索ホストシステム１００と、ネットワーク１６０を介して接続されたファイルサーバ１５０及び検索端末１７０とで構成される。
【００１６】
検索ホストシステム１００は、検索インデックスの作成と検索の実行とを分担するコンピュータである。検索ホストシステム１００は、いわゆる検索サーバとして動作する。図１に示す検索ホストシステム１００は、検索インデックス作成部１１０と、検索画面表示制御部１２０と、検索処理部１３０と、検索インデックス格納部１４０とで構成される。
【００１７】
ここで、検索インデックス作成部１１０は、文書ファイルの本文から検索インデックスを作成するだけでなく、後述するように、文書ファイルに埋め込まれた又は貼り付けられた地図画像の付属データから位置情報（経度緯度情報）を抽出し、検索インデックスを作成する機能を実現する。
【００１８】
検索画面表示制御部１２０は、ネットワーク１６０を介して接続された検索端末１７０の操作画面上に検索条件の入力画面や検索結果の表示画面を表示する機能を提供する。
【００１９】
検索処理部１３０は、検索端末１７０から入力された検索条件に基づいて検索インデックス格納部１４０を検索し、検索条件を満たす検索インデックスを検索する機能を提供する。
【００２０】
検索インデックス格納部１４０は、各文書ファイルについて作成された検索インデックスを格納する記憶装置である。この実施例の場合、記憶装置には、複数のハードディスク装置で構成されるストレージサーバを想定する。
【００２１】
ファイルサーバ１５０は、文書ファイルが格納される記憶装置である。この形態例の場合、少なくとも１つのファイルサーバ１５０が、少なくとも１つは地図画像入りの文書ファイルを格納しているものとする。ファイルサーバ１５０も、複数のハードディスク装置で構成されるストレージサーバを想定する。
【００２２】
ネットワーク１６０は、インターネットでも、イントラネットでも、ＬＡＮ（local area network）でも良い。
【００２３】
検索端末１７０は、文書ファイルの検索を実際に実行されるユーザ側のコンピュータ端末である。なお、検索端末１７０は、いわゆるコンピュータである必要はなく、ネットワーク通信機能を備える各種の機器、例えばテレビジョン受像機、ビデオレコーダでも良い。また、検索端末１７０は、携帯電話機や携帯情報端末その他の可搬型の端末装置でも良い。
【００２４】
（地図情報入り文書）
図２に、本形態例において検索対象とする地図画像入り文書（以下「非構造化データ」ともいう。）の構造例を示す。地図画像入り文書は、基本的に、地図画像部２００と本文２１０とで構成される。地図画像部２００には、図中の「２ページ目」に示すように、文書を利用するユーザがアノテーション２２０又は２３０を追加的に記録することができる。アノテーション２２０は、地図上のある座標点に関する吹き出し形式でコメント（テキストデータ）を付加する場合に用いられる。アノテーション２３０は、地図上のある座標位置にランドマーク等を表す図形を付加する場合に用いられる。
【００２５】
この形態例の場合、地図画像部２００は矩形領域で与えられる。地図画像部２００には、その画像範囲を経度緯度のような座標値によって特定する付属データが付されている。付属データには、例えば地図画像部２００の左上隅と右下隅の２つの座標値が記録されている。なお、右上隅と左下隅の２つの座標値を記録しても良いし、４隅に対応する４つの座標値を記録しても良い。
【００２６】
同じく、アノテーション２２０及び２３０の付属データには、その付着点又は付着範囲を経度緯度のような座標値によって特定する付属データが付されている。なお、アノテーションの座標値は、地図画像部２００に対する付着時に、地図画像部２００上における位置関係と地図画像部２００の全体範囲を与える座標値とに基づいて算出される。なお、当該座標値の算出は、文書ファイルを操作するユーザのコンピュータ端末上で動作しているプログラムに基づいて実行される。
【００２７】
ここで、地図画像部２００は、いわゆるデジタル地図だけでなく衛星写真を含むものとする。いずれも、経度情報及び緯度情報を付属データに含むものとする。もっとも、付属データには、高度情報が含まれていても良い。
【００２８】
（検索インデックスのデータ構造）
図３に、図２に示した地図情報入り文書について作成される検索インデックスのデータ構造例を示す。検索インデックスは、ファイルサーバ１５０をクローニングした検索インデックス作成部１１０により作成される。図３に示す検索インデックスは、３つの検索インデックスで構成される。すなわち、本文の検索インデックス３００と、地図画像部範囲の検索インデックス３１０と、地図上アノテーションの検索インデックス３２０とから構成される。
【００２９】
本文の検索インデックス３００には、文書の本文２１０から抽出された検索対象ワードが格納される。図３の場合、「神奈川県」、「地図」、「マグニチュード４」等が抽出されて格納されている。
【００３０】
地図画像部範囲の検索インデックス３１０には、文書内に埋め込まれた地図画像部２００の識別番号（ＩＤ番号）と共に、当該範囲の左上隅座標値ＵＬ（経度緯度）と、右下隅座標値ＬＲ（経度緯度）が格納される。
【００３１】
地図上アノテーションの検索インデックス３２０には、文書内の地図画像部２００に付加されたアノテーションの識別番号（ＩＤ番号）と共に、追加されたテキスト情報（任意）と、アノテーションが付与された座標値（経度緯度）が格納される。
【００３２】
（操作画面例）
図４〜図６に、検索端末１７０に表示される操作画面例を示す。これらの操作画面は、検索画面表示制御部１２０を通じて検索端末１７０に提供される。図４は、検索条件の入力に用いられる操作画面の一例である。図４に示す操作画面は、地図表示部４００と、検索語入力部４１０と、検索結果のテキスト表示部４４０とで構成される。
【００３３】
このうち、地図表示部４００は、検索範囲の入力及び検索結果の表示に用いられる。この形態例の場合、地図表示部４００に表示されている地図又は写真には、表示範囲の位置情報が付属データとして埋め込まれている。この形態例の場合、ユーザは、不図示のマウス等を操作し、検索範囲４５０を地図表示部４００上に直接入力する。例えばマウスの左ボタンを押したままマウスを動かすことにより、地図表示部４００上に検索範囲４５０を入力する。
【００３４】
検索語入力部４１０は、本文中やアノテーションに含まれる検索語を入力するための検索語入力欄４２０と、検索語の検索範囲をアノテーションとするか本文とするかを選択するためのチェックボックス４３０とで構成される。図４の場合、検索語入力欄４２０には、検索語として「建物倒壊」が入力されている。テキストの入力には、検索端末１７０の不図示のキーボードが用いられる。また、図４の場合、チェックボックス４３０のチェック記号は外れている。従って、図４の操作画面の場合には、地図画像又は写真画像の検索インデックス３１０と本文のインデックス３００が検索対象となる。
【００３５】
図５に、検索結果の表示例の一つを示す。図５に示す操作画面も、地図表示部４００と、検索語入力部４１０と、検索結果のテキスト表示部４４０とで構成される。当該表示例は、チェックボックス４３０にチェック記号が入っていない場合に表示される。図５の場合、本文中に検索語を含む４件の文書ファイルが発見されたことがテキスト表示部４４０に表示される。この例の場合、１つ目の文書中には、検索条件を満たす地図画像が２つ以上存在することが分かる。一方、２つ目の文書には、検索条件を満たす地図画像又は写真画像が１つだけ存在することが分かる。また、検索条件を満たした地図画像の座標値も表示される。
【００３６】
図６に、検索条件の入力画面において、チェックボックス４３０にチェック記号が入れられ、検索語の検索範囲がアノテーションに設定された場合の検索結果例を示す。この場合、検索条件を満たしたアノテーション４６０が、地図表示部４００に表示されている地図上の付着位置に重畳するように表示される。この例の場合、検索語を含むアノテーション４６０が４つ発見されたことがテキスト表示部４４０と地図表示部４００に表示される。図６の場合、検索結果を満たす４つのアノテーション４６０が、地図表示部４００のうち対応する座標点に表示される。また、この場合、１つ目の文書中には、検索条件を満たすアノテーション４６０が２つ以上存在することが分かる。
【００３７】
（検索インデックスの作成手順）
図７に、検索インデックス作成部１１０において実行される検索インデックスの作成プログラムの処理手順例を示す。なお、ステップ５００からステップ５４０までの処理は、ファイルサーバ１５０からクローニングした各文書について実行される。
【００３８】
まず、検索インデックス作成部１１０は、処理対象とする文書が地図画像付き文書ファイルか否かを判定する（ステップ５００）。否定結果（Ｎｏ）の場合、検索インデックス作成部１１０は、後続するステップ５１０から５４０をスキップし、次の文書ファイルを処理対象に変更する。
【００３９】
一方、肯定結果（Ｙｅｓ）が得られた場合、検索インデックス作成部１１０は、文書内に含まれる全ての地図画像部２００の範囲情報をインデックスに追加する（ステップ５１０）。すなわち、地図画像部範囲の検索インデックス３１０を生成する。
【００４０】
次に、検索インデックス作成部１１０は、文書内の全ての地図画像上のアノテーション情報（テキスト情報と位置情報）をインデックスに追加する（ステップ５２０）。すなわち、地図上アノテーションの検索インデックスを生成する。
【００４１】
次に、検索インデックス作成部１１０は、文書内の本文内のキーワードをインデックスに追加する（ステップ５３０）。すなわち、本文の検索インデックス３００を生成する。
【００４２】
この後、検索インデックス作成部１１０は、作成された各検索インデックス３００、３１０及び３２０を検索インデックス格納部１４０に保存する（ステップ５４０）。
【００４３】
（文書検索の実行手順）
図８に、検索処理部１３０において実行される文書検索プログラムの処理手順例を示す。図８に示すプログラムは、ユーザが検索端末１７０の画面上で検索条件を入力し、検索の実行を指示するボタンを操作した場合に実行される。
【００４４】
まず、検索処理部１３０は、地図表示部４００に対してユーザが検索範囲４５０を指定入力しているか否かを判定する（ステップ６００）。
【００４５】
当該判定において肯定結果（Ｙｅｓ）が得られた場合、検索処理部１３０は、検索インデックス格納部１４０に格納されている各検索インデックスの地図画像部範囲の検索インデックス３１０と地図上アノテーションの検索インデックス３２０のそれぞれが、ステップ６００で指定された検索範囲４５０に含まれるか否かを調べ、検索範囲４５０内に含まれる文書を抽出する（ステップ６１０）。
【００４６】
次に、検索処理部１３０は、検索語入力欄４２０に検索文字列が入力されているか否かを判定する（ステップ６２０）。なお、このステップ６２０は、ステップ６００において否定結果が得られた場合にも実行される。
【００４７】
否定結果（Ｎｏ）が得られた場合、検索処理部１３０は、この時点で抽出済みの文書を検索結果としてテキスト表示部４４０に表示する。
【００４８】
一方、ステップ６２０で肯定結果（Ｙｅｓ）が得られた場合、検索処理部１３０は、アノテーション検索用のチェックボックス４３０にチェック記号が入っているか否かを判定する（ステップ６３０）。
【００４９】
否定結果（Ｎｏ）が得られた場合（すなわち、チェック記号がチェックボックス４３０に入っていない場合）、検索処理部１３０は、ステップ６１０で抽出済みの文書の中で本文中に検索語が含まれている文書を絞り込み、検索結果としてテキスト表示部４４０に表示する(ステップ６４０)。
【００５０】
一方、肯定結果（Ｙｅｓ）が得られた場合（すなわち、チェック記号がチェックボックス４３０に入っていた場合）、検索処理部１３０は、ステップ６１０で抽出済みの文書の中でアノテーション２２０のテキストに検索語が含まれている文書を絞り込み、検索結果としてテキスト表示部４４０に表示する（ステップ６５０）。
【００５１】
（まとめ）
以上説明したように、本形態例に係る文書検索システムの場合には、特許文献１のようにデータベースを利用して文書情報と地図画像をリンクさせる必要がなく、簡易なシステム構成による地図検索を実現できる。
【００５２】
また、本形態例に係る文書検索システムの場合には、文書に貼り付けられた地図画像が有する位置情報を用いて検索インデックスを生成しているため、検索条件に正確に一致する地図画像を検索することができる。
【００５３】
また、本形態例に係る文書検索システムの場合には、文書に貼り付けられた地図画像だけでなく、当該地図画像上に貼り付けられたアノテーションの位置情報も含めて検索インデックスを作成するため、検索条件に関連する地図範囲とアノテーションを検索結果として出力することができる。
【００５４】
また、本形態例に係る文書検索システムの場合には、地図検索の範囲を操作画面上に表示された地図画像上の範囲として直接指定できるため、座標範囲の簡易な入力が可能となる。
【００５５】
（他の形態例）
前述の形態例の場合には、図３に示すように、検索インデックスを、本文の検索インデックス３００と、地図画像部範囲の検索インデックス３１０と、地図上アノテーションの検索インデックス３２０で構成した。しかし、検索インデックスは、本文の検索インデックス３００と地図画像部範囲の検索インデックス３１０だけで構成しても良いし、いずれか１つだけで構成しても良い。
【００５６】
前述の形態例の場合には、地図検索の範囲を地図上の範囲として直接入力する場合について説明した。しかし、検索範囲はキーボード等を通じて数値として入力しても良い。
【００５７】
前述の形態例の場合には、検索結果の絞込みの際、本文中に検索語が含まれる文書を絞り込み条件（ステップ６４０）とするか、アノテーションに検索語が含まれる文書を絞り込み条件（ステップ６５０）としたが、本文とアノテーションのいずれか一方に検索語が含まれることを絞り込み条件に用いても良い。
【符号の説明】
【００５８】
１００：検索ホストシステム
１１０：検索インデックス作成部
１２０：検索画面表示制御部
１３０：検索処理部
１４０：検索インデックス格納部
１５０：ファイルサーバ
１６０：ネットワーク
１７０：検索端末
２００：地図画像部
２１０：本文
２２０：アノテーション
２３０：アノテーション
３００：本文の検索インデックス
３１０：地図画像部範囲の検索インデックス
３２０：地図上アノテーションの検索インデックス
４００：検索範囲入力及び検索結果の地図表示部
４１０：検索語入力部
４２０：検索語入力欄
４３０：チェックボックス
４４０：検索結果のテキスト表示部
４５０：検索範囲
４６０：地図画像部やアノテーションの位置
【図１】
0005634209.tif 000002
【図２】
0005634209.tif 000003
【図３】
0005634209.tif 000004
【図４】
0005634209.tif 000005
【図５】
0005634209.tif 000006
【図６】
0005634209.tif 000007
【図７】
0005634209.tif 000008
【図８】
0005634209.tif 000009